(57)【特許請求の範囲】
【請求項１】
矩形状を呈する基板部１と、当該基板部１の後端縁に谷折り線ａを介して連なる背面側突
き当て板部２と、当該基板部１の前端縁に谷折り線ｂを介して連なる支持用弾力板部３と
を、折曲げ可能としかつ可撓性に富む縦長長方形状の板材で一体的に形成し、当該支持用
弾力板部３の中央部分には開口部3ａを開設し、所要の展示品Ａの下端部を当該開口部3ａ
内に差し込むことによって、当該展示品Ａの下端を基板部１の上面に位置させると共に、
当該開口部3ａの上縁部分を背もたれ部とするようにして当該展示品Ａの安定化を図るよ
うに構成し、更に、前記背面側突き当て板部２はその所要角度の谷折りに基づき、その端
縁が展示品Ａの背面に接してこれを抑止するように構成し、前記支持用弾力板部３は展示
品Ａの自重に基づき、背面側に弧状に反らされるように構成したことを特徴とするスタン
ド。
【請求項２】
基板部１からの背面側突き当て板部２の谷折り角度を４０度程度とするように構成した請
求項１に記載のスタンド。
【請求項３】
支持用弾力板部３は展示品Ａの重さでその側縁が曲線化するようにして背面側に反らされ
る程度の可撓性を具えた板厚とするように構成した請求項１乃至請求項２の何れかに記載
のスタンド。
【請求項４】
板紙材・樹脂板材・金属板材のような折曲げ可能としかつ可撓性に富む縦長長方形状の基
材を、各板部１,２,３を形成するための基材として用いて成る請求項１乃至請求項３の何
れかに記載のスタンド。
【請求項５】
カラー樹脂材・透明樹脂材のような可撓性に富む樹脂材料で全体を形成して成る請求項１
乃至請求項４の何れかに記載のスタンド。
【請求項６】
ペット材・再生紙のような再生材料で全体を形成して成る請求項１乃至請求項５の何れか
に記載のスタンド。
【発明の詳細な説明】
【技術分野】
【０００１】
本発明は、各種カード・パネル・葉書・パンフレット・案内書・カタログ・書籍・或い
は薄型板状の電子機器・化粧品・小物商品を、立てた状態で展示するためのスタンドに関
する。
【背景技術】
【０００２】
従来、一枚の板状材料を折り曲げて形成するスタンドとしては、側面三角形状に折曲げ
、その正面パネル部分に一枚の写真等を安定化するように構成したものがある（例えば、
特許文献１及び特許文献２参照。）。  そして、複数枚のパンフレット等を正面部分に重
ねて立てた状態で収容展示しておくように構成したものもある（例えば、特許文献３参照
。）。
【０００３】
【特許文献１】実公昭５７−３０１３２号公報
【特許文献２】実公昭５７−３０１３３号公報
【特許文献３】実公昭５７−５１９０８号公報
【発明の開示】
【発明が解決しようとする課題】
【０００４】
上記としたように、その正面パネル部分に一枚の写真等を安定化するように構成したス
タンドであると、一枚の写真等を表示しておくものであるため、パンフレット・カタログ
等の頒布用スタンドとしては不適当なものである。
【０００５】
更に、上記したように、複数枚のパンフレット等を正面部分に重ねて立てた状態で収容展
示しておくように構成したスタンドの場合、当該収容部分は単なるポケット状のものであ
るため、収容枚数が少なくなった場合、その収容形態に崩れが生じてしまい、見苦しい展
示形態となってしまうことを余儀なくされた。
【０００６】
本発明は従来のスタンドに生じた上記のような問題点の解消を図り、重ねられた状態の
多数のパンフレット等の展示が可能とすると共に、当該収容パンフレット等の減少化にも
左右されず常に整然たる展示収容状態の確保が図られるように構成すると共に、スタンド
自体の側面形状が、収容パンフレットの重量性に基づき極めて自然な曲面が形成されて、
スタンドとしての美的価値を高めるように構成した新規のスタンドの提供を図ったもので
ある。
【課題を解決するための手段】
【０００７】
【０００８】
本発明は請求項１に記載のように、矩形状を呈する基板部１と、当該基板部１の後端縁
に谷折り線ａを介して連なる背面側突き当て板部２と、当該基板部１の前端縁に谷折り線
ｂを介して連なる支持用弾力板部３とを、折曲げ可能としかつ可撓性に富む縦長長方形状
の板材で一体的に形成し、当該支持用弾力板部３の中央部分には開口部3ａを開設し、所
要の展示品Ａの下端部を当該開口部3ａ内に差し込むことによって、当該展示品Ａの下端
を基板部１の上面に位置させると共に、当該開口部3ａの上縁部分を背もたれ部とするよ
うにして当該展示品Ａの安定化を図るように構成し、更に、前記背面側突き当て板部２は
その所要角度の谷折りに基づき、その端縁が展示品Ａの背面に接してこれを抑止するよう
に構成し、前記支持用弾力板部３は展示品Ａの自重に基づき、背面側に弧状に反らされる
ように構成したことを特徴とするスタンドを実施の態様とする。
【０００９】
本発明は請求項２に記載のように、基板部１からの背面側突き当て板部２の谷折り角度
を４０度程度とするように構成することを実施の態様とする。
【００１０】
本発明は請求項３に記載のように、支持用弾力板部３は展示品Ａの重さでその側縁が曲
線化するようにして背面側に反らされる程度の可撓性を具えた板厚とするように構成する
ことを実施の態様とする。
【００１１】
本発明は請求項４に記載のように、板紙材・樹脂板材・金属板材のような折曲げ可能と
しかつ可撓性に富む縦長長方形状の基材を、各板部１,２,３を形成するための基材として
用いることを実施の態様とする。
【００１２】
本発明は請求項５に記載のように、カラー樹脂材・透明樹脂材のような可撓性に富む樹
脂材料で全体を形成することを実施の態様とする。
【００１３】
本発明は請求項６に記載のように、ペット材・再生紙のような再生材料で全体を形成する
ことを実施の態様とする。
【発明の効果】
【００１４】
本発明は請求項１に記載のように、矩形状を呈する基板部１と、当該基板部１の後端縁
に谷折り線ａを介して連なる背面側突き当て板部２と、当該基板部１の前端縁に谷折り線
ｂを介して連なる支持用弾力板部３とを、折曲げ可能とする縦長長方形状の板材で一体的
に形成すると共に、当該支持用弾力板部３の中央部分には、展示品Ａの下端が差し込まれ
、かつ、その上縁部分で当該展示品Ａを背もたれ的に支持するための開口部3ａを開設す
るように構成したから、各種カード・パネル・葉書・パンフレット・案内書・カタログ、
書籍、或いは薄型板状の電子機器・化粧品・小物商品を、立てた状態での展示を図ること
ができる。
そして、基本構造が平板状のものであるため、製造の容易性からコスト的に低廉化され
ると同時に、現地組立て（簡単なる折曲げに基づく組立てで可能）という作業工程を採る
ことにより、保管上及び輸送上、極めて有利な製品とされる。
【００１５】
本発明は請求項１に記載のような構成に基づき、各種カード・パネル・葉書・パンフレット・案内書・カタログ、書籍、或いは薄型板状の電子機器・化粧品・小物商品を、立てた状態での展示を図ることができる。そして、基本構造が平板状のものであるため、製造の容易性からコスト的に低廉化されると同時に、現地組立て（簡単なる折曲げに基づく組立てで可能）という作業工程を採ることにより、保管上及び輸送上、極めて有利な製品とされる。特に、背面側突き当て板部２はその所要角度の谷折りに基づき、その端縁
が展示品Ａの背面に接してこれを抑止するように構成し、前記支持用弾力板部３は展示品
Ａの自重に基づき、背面側に弧状に反らされるように構成したから、支持用弾力板部３は
展示品Ａの重量により後方に反らされると共に、当該展示品Ａの背面が突き当て板部２の
端縁に接した時点で受け止められ、これにより、当該支持用弾力板部３の側縁はこのよう
な反りにより曲面化し、デザイン的に自然で優しいカーブを描くこととなる（図３参照）
。  同時に、展示品が複数枚を束ねたカタログ等の場合、カタログが抜き取られてその重
量が減じるにつれ、これに比例して支持用弾力板部３の反りが緩和され、カタログは常に
前方に押出された状態に保たれることとなる。  換言すると、このような反りの緩和は、
支持されているカタログを前方に押出す力として作用することとなり、そのため図２及び
図４に示すように、一枚となったカタログであっても、前方に押出された形態となり、こ
れが後方に倒れ込んだ状態となることが防止されるため、展示の整然性が常に保たれるこ
ととなる。
【００１６】
本発明は請求項２に記載のような構成、すなわち、基板部１からの背面側突き当て板部
２の谷折り角度を４０度程度とするように構成することにより、展示品が極めて見易い状
態の傾斜に保たれることとなる。
【００１７】
本発明は請求項３に記載のような構成、すなわち、支持用弾力板部３は展示品Ａの重さ
でその側縁が曲線化するようにして背面側に反らされる程度の可撓性を具えた板厚とする
ように構成したから、展示品自体の重さに即応させた支持用弾力板部３の板厚とすること
により支持用弾力板部３を所望設定の曲面に屈曲させることができ、デザイン的効果を挙
げることができる。
【００１８】
本発明は請求項４に記載のように、板紙材・樹脂板材・金属板材のような折曲げ可能と
しかつ可撓性に富む縦長長方形状の基材を、各板部１,２,３を形成するための基材として
用いることにより、材質的特性を生かしたスタンドの提供が図られる。
【００１９】
本発明は請求項５に記載のように、カラー樹脂材・透明樹脂材のような可撓性に富む樹
脂材料で全体を形成することにより、美麗で高級感にあふれたスタンドの提供が果される
。
【００２０】
本発明は請求項６に記載のように、ペット材・再生紙のような再生材料で全体を形成す
ることにより、製造コストの低廉化が図られると同時に、リサイクル目的が達成され、環
境に優しい製品の製造とされる。
【発明を実施するための最良の形態】
【００２１】
図１乃至図４は本発明に係るスタンドの使用状態を表し、図５は同スタンドの展開図で
ある。  同図において、１は矩形状を呈する基板部、２は当該基板部１の後端縁に谷折り
線ａを介して連なる背面側突き当て板部、３は当該基板部１の前端縁に谷折り線ｂを介し
て連なる支持用弾力板部であって、これらの各板部１,２,３は一枚の縦長長方形状の薄板
基材により一体的に形成されている。（図５参照）
【００２２】
3ａは上記した支持用弾力板部３の中央部に大きく開設した展示品収装用開口部であっ
て、所要の展示品Ａの下端部を当該開口部3ａ内に差し込むことによって、当該展示品Ａ
の下端を基板部１の上面に位置させると共に、当該開口部3ａの上縁部分を背もたれ部と
するようにして、当該展示品Ａの安定化を図るように構成してある。
【００２３】
そして、基板部１からの背面側突き当て板部２の谷折り角度であるが、これは通常４０
度程度であるが、この角度は展示品Ａの展示角度を決定するものであり、従って、希望す
る展示形態に応じて任意に設定するものとする。
【００２４】
更に、基板部１からの支持用弾力板部３の谷折り角度であるが、当該支持板部３は展示
品Ａの重さでその側縁が曲線化するようにして背面側に反らされるように構成したもので
あり、従って、無荷重状態での当該立ち上がり角度の限定性は無く、通常はほぼ直角より
やや後方に傾いた状態で立ち上がらせた形態とするように構成してある。
【００２５】
そして、本発明において重要なことは、当該支持用弾力板部３は展示品Ａの重さでその
側縁が曲線化するようにして背面側に反らされる程度の可撓性を具えた板厚とすることに
ある。  然し乍、当該板厚の数値は、使用する板材の材質、展示品の重量に基づき左右さ
れる数値であるため、実施の際の形態に基づき任意に設定するものとする。
【００２６】
ところで、各板部１,２,３を形成する薄板状基材であるが、これは折曲げ可能としかつ
可撓性に富む板状材であれば、例えば板紙材・樹脂板材・金属板材等、如何なるものであ
っても可とする。  然し乍、これを透明な合成樹脂材、或いはカラー樹脂材で形成するこ
とにより、美麗で高級感を醸し出すデザインとすることができる。
また、ペット材（ペットボトルの廃材から形成した板状材料）または再生紙を利用する
ことにより、環境に優しい製品とすることができる。
【００２７】
図６及び図７は本発明の他の実施例を表したものである。  図１乃至図５に示す実施例
とほぼ同様な形態とであるが、寸法的に小さめに形成し、名刺等小さなカード状の展示品
を対象とするように形成したものである。  この場合は、図６に示すように携帯電話機Ａ
の商品的展示用、或いは個人使用の携帯電話機用のスタンドとしての利用を図ることがで
きる。  本発明はこのような形態での実施も可能であり、換言すると、本発明の寸法的設
定は、展示対象品の寸法に即応させて適宜設定するものである。
【００２８】
なお、図７においては、背面側突き当て板部２の端縁を凹状弧状縁ｃとしてあるのは、
展示品背面に対する接触部分を少なくして傷を付けないようにしたためであり、これは図
５に示す実施例に於いても採用可能な事柄であり、また、図７に示す実施例においても省
略可能とする事柄であり、本発明の要部とするものではない。
【００２９】
本発明の使用に際しては、例えば図１及び図３に示すように、複数冊を束ねたカタログ
を展示品Ａとする場合、これの下端部を支持用弾力板部３の開口部3ａ内に差し込むこと
によって、当該展示品Ａの下端を基板部１の上面に位置させると共に、当該開口部3ａの
上縁部分を背もたれ部とするようにして、当該展示品Ａの安定化を図る。  これにより支
持用弾力板部３は展示品Ａの重量により後方に反らされると共に、当該展示品Ａの背面が
突き当て板部２の端縁に接した時点で受け止められ、これにより、当該支持用弾力板部３
の側縁はこのような反りにより曲面化し、デザイン的に自然で優しいカーブを描くことと
なる（図３参照）。
【００３０】
そして、展示されているカタログが抜き取られその重量が減じるにつれ、これに比例し
て支持用弾力板部３の反りが緩和されることとなる。  換言すると、このような反りの緩
和は、支持されているカタログを前方に押出す力として作用する。  従って、図２及び図
４に示すように、一枚となったカタログであっても、前方に押出された形態となり、これ
が後方に倒れ込んだ状態となることを防止して、展示の整然性を常に保つこととなる。
【００３１】
なお、本発明に係るスタンドは、その所要部分、例えば支持用弾力板部３の両側部等に
「商品名表示」、「広告文表示」等を施すことも可能であり、このような形態を採ること
により、スタンド自体が広告媒体としての役割を担わすことができる。
【図面の簡単な説明】
【００３２】
【図１】本発明に係るスタンドに依る展示状態を表した斜視図である。
【図２】第１図に示す状態から展示品の収容量が減少した状態を表した斜視図である    。
【図３】図１に示す状態にある本発明スタンドの縦断側面図である。
【図４】図２に示す状態にある本発明スタンドの縦断側面図である。
【図５】展開状態にある本発明に係るスタンドの平面図である。
【図６】本発明の他の実施例の使用状態を表した斜視図である。
【図７】展開状態にある同上実施例に係るスタンドの平面図である。
【符号の説明】
【００３３】
１  基板部
２  背面側突き当て板部
ａ  谷折り線
ｂ  谷折り線  
３  支持用弾力板部
3ａ 展示品収装用開口部  
ｃ  凹状弧状縁
Ａ  展示品
Ｂ  携帯電話機
【図１】
0004796997.tif 000002
【図２】
0004796997.tif 000003
【図３】
0004796997.tif 000004
【図４】
0004796997.tif 000005
【図５】
0004796997.tif 000006
【図６】
0004796997.tif 000007
【図７】
0004796997.tif 000008